(57)【要約】【課題】歯面の歯垢に加えて、歯頸部、歯周ポケット等の歯垢も満遍なく除去でき、歯の隅々まで効率良く清掃できる歯ブラシを提供する。【解決手段】ヘッド部１２の植毛面１２ａの中央領域に、ヘッド部１２の長さ方向に並んだ複数の第１の毛束１６ａからなる第１の毛束群１６と、第１の毛束群１６の周りを囲うように、かつ第１の毛束群１６の幅方向の両側の部分で窄まった形状となるように複数の第２の毛束１８ａが配列された第２の毛束群１８と、を有し、第１の毛束１６ａは、第２の毛束１８ａよりも太く、第２の毛束１８ａの毛丈は第１の毛束１６ａの毛丈と同等以上である、歯ブラシ１。【選択図】図１
2015036042.tif 000002
【特許請求の範囲】
【請求項１】
ヘッド部の植毛面に、複数の用毛を束ねた毛束が複数植設された歯ブラシにおいて、
前記植毛面の中央領域に、前記ヘッド部の長さ方向に並んだ複数の第１の毛束からなる第１の毛束群と、
前記第１の毛束群の周りを囲うように、かつ前記第１の毛束群の幅方向の両側の部分で窄まった形状となるように複数の第２の毛束が配列された第２の毛束群と、を有し、
前記第１の毛束は、前記第２の毛束よりも太く、
前記第２の毛束の毛丈は前記第１の毛束の毛丈と同等以上である、歯ブラシ。
【請求項２】
前記第２の毛束群における先端側で幅が最大となる位置と、後端側で幅が最大となる位置の距離が５〜１５ｍｍである、請求項１に記載の歯ブラシ。
【発明の詳細な説明】
【技術分野】
【０００１】
本発明は、歯ブラシに関する。
【背景技術】
【０００２】
う食や歯周病の予防には歯垢除去が重要である。近年では若年層でも歯周病予防の意識が高まっており、歯面に加えて、歯周ポケットの汚れも同時に除去できる歯ブラシが望まれている。
歯間、歯頸部等の形状が複雑な部分に付着した歯垢を効率良く除去するためには、歯ブラシの毛先を歯牙表面にフィットさせることが重要である。また、歯周ポケットの歯垢を効率良く除去するには、歯周ポケットの中に毛先を安定して進入させることが重要である。
【０００３】
歯間に毛先がフィットする歯ブラシとしては、例えば、以下の歯ブラシが知られている。
ヘッド部の植毛面に植設された毛束の形状が平面視で略瓢箪形になっている歯ブラシ（特許文献１）。
しかし、該歯ブラシは、歯頸部や歯周ポケットの歯垢を除去することは困難である。
【０００４】
また、歯頸部に毛先がフィットする歯ブラシとしては、例えば、以下の歯ブラシが知られている。
ヘッド部の植毛面に、平面視で幅方向の外側に向かって膨らむ略Ｃ型形状に毛束が配列されて毛束群が形成されている歯ブラシ（特許文献２）。
しかし、該歯ブラシでは、歯間や歯周ポケットに安定して毛先を進入させることが困難であるため、歯間や歯周ポケットの歯垢を除去することは困難である。
【先行技術文献】
【特許文献】
【０００５】
【特許文献１】特開平１０−３２７９３３号公報
【特許文献２】特開２００６−１８１１９０号公報
【発明の概要】
【発明が解決しようとする課題】
【０００６】
前記したように、特許文献１、２のような歯ブラシは、歯間又は歯頸部の歯垢除去に特化したものであり、歯面、歯間、歯頸部、歯周ポケット等の歯垢を満遍なく効率的に除去することは困難である。
【０００７】
本発明は、歯面の歯垢に加えて、歯頸部、歯周ポケット等の歯垢も満遍なく除去でき、歯の隅々まで効率良く清掃できる歯ブラシを提供する。
【課題を解決するための手段】
【０００８】
本発明の歯ブラシは、ヘッド部の植毛面に、複数の用毛を束ねた毛束が複数植設された歯ブラシにおいて、前記植毛面の中央領域に、前記ヘッド部の長さ方向に並んだ複数の第１の毛束からなる第１の毛束群と、前記第１の毛束群の周りを囲うように、かつ前記第１の毛束群の幅方向の両側の部分で窄まった形状となるように複数の第２の毛束が配列された第２の毛束群と、を有し、前記第１の毛束は、前記第２の毛束よりも太く、前記第２の毛束の毛丈は前記第１の毛束の毛丈と同等以上であることを特徴とする。
【０００９】
本発明の歯ブラシでは、前記第２の毛束群における先端側で幅が最大となる位置と、後端側で幅が最大となる位置の距離が５〜１５ｍｍであることが好ましい。
【発明の効果】
【００１０】
本発明の歯ブラシは、歯面の歯垢に加えて、歯頸部、歯周ポケット等の歯垢も満遍なく除去でき、歯のすみずみまで効率良く清掃できる。
【図面の簡単な説明】
【００１１】
【図１】本発明の歯ブラシの一例を示す平面図である。
【図２】図１の歯ブラシの側面図である。
【図３】本発明の歯ブラシの他の例を示す平面図である。
【図４】本発明の歯ブラシの他の例を示す平面図である。
【図５】本発明の歯ブラシの他の例を示す平面図である。
【図６】比較例１及び２の歯ブラシの毛束の配列パターンを示した平面図である。
【図７】比較例３の歯ブラシの毛束の配列パターンを示した平面図である。
【図８】比較例４の歯ブラシの毛束の配列パターンを示した平面図である。
【図９】比較例５の歯ブラシの毛束の配列パターンを示した平面図である。
【発明を実施するための形態】
【００１２】
本明細書中において、「毛丈を揃える」とは、目視において毛丈が揃えられていることを意味する。すなわち、各毛束の毛丈が完全に同一のものに加えて、毛丈がわずかに異なるものも含むものとする。毛丈が揃えられた毛束群における毛丈の誤差は、±１０％以下が好ましく、±５％以下がより好ましい。
また、本明細書では、歯ブラシのヘッド部における先端から後端に向かう方向を長さ方向、該長さ方向に垂直な方向を幅方向とする。
【００１３】
＜第一の実施形態＞
以下、本発明の第一の実施形態の歯ブラシについて、図１及び図２に基づいて説明する。
本実施形態の歯ブラシ１は、長尺状のハンドル部１０と、ハンドル部１０の先端に設けられたヘッド部１２とからなるハンドル体１４を備えている。また、歯ブラシ１は、ヘッド部１２の植毛面１２ａに、第１の毛束群１６、第２の毛束群１８及び第３の毛束群２０を備えている。
【００１４】
［ハンドル体］
ハンドル体１４は、ハンドル部１０とヘッド部１２とが一体成形されたものである。
ハンドル体１４のハンドル部１０とヘッド部１２の形状及び大きさは特に限定されず、歯ブラシにおいて採用される通常の形状及び大きさを適宜採用できる。
【００１５】
ハンドル体１４は、例えば、樹脂を射出成形することにより得られる。ハンドル体１４を形成する樹脂は、歯ブラシ１に求める剛性や機械特性等を勘案して決定される。例えば、曲げ弾性率（ＪＩＳ  Ｋ７２０３）が５００〜３０００ＭＰａの範囲にある高硬度樹脂が挙げられる。
このような高硬度樹脂としては、例えば、ポリプロピレン（ＰＰ）、ポリエチレンテレフタレート（ＰＥＴ）、ポリブチレンテレフタレート（ＰＢＴ）、ポリシクロへキシレンジメチレンテレフタレート（ＰＣＴ）、ポリアセタール（ＰＯＭ）、ポリスチレン（ＰＳ）、アクリロニトリル・ブタジエン・スチレン樹脂（ＡＢＳ）、セルロースプロピオネート（ＣＰ）、ポリアリレート、ポリカーボネート、アクリロニトリル・スチレン共重合樹脂（ＡＳ）等が挙げられる。これらの樹脂は１種を単独で使用してもよく、２種以上を併用してもよい。
【００１６】
［第１の毛束群］
第１の毛束群１６は、主に歯面に接し、歯面に付着した歯垢を除去する役割を果たす。
第１の毛束群１６は、ヘッド部１２の植毛面１２ａの中央領域に、複数の第１の毛束１６ａがヘッド部１２の長さ方向に並ぶように植設されることで形成されている。
この例の第１の毛束群１６は、３束の第１の毛束１６ａからなり、それらの第１の毛束１６ａが長さ方向に直線的に並ぶように配列されることで形成されている。
【００１７】
第１の毛束群１６を形成する第１の毛束１６ａの数は、３束には限定されず、２束以下でもよく、４束以上でもよい。第１の毛束群１６を形成する第１の毛束１６ａの数は、第１の毛束１６ａの直径等を考慮して適宜設定すればよく、２〜７束が好ましい。
【００１８】
第１の毛束１６ａは、複数の用毛が束ねられて形成されている。
第１の毛束１６ａを形成する用毛としては、特に限定されず、例えば、毛先に向かって漸次縮径して先端が先鋭化された用毛（テーパー毛）、毛先に向かって漸次縮径し、テーパー毛よりも先端径が太い用毛（セミテーパー毛）、毛先の丸め部を除いて外径がほぼ同一である用毛（ストレート毛）が挙げられる。セミテーパー毛は、例えば、テーパー毛の先端を部分的に削り取ることや、化学処理時の処理条件（時間）を調整することで得られる。
第１の毛束１６ａは、テーパー毛のみで形成されていてもよく、セミテーパー毛のみで形成されていてもよく、ストレート毛のみで形成されていてもよく、テーパー毛、セミテーパー毛、ストレート毛のうち２種以上を組み合わせて形成されていてもよい。第１の毛束１６ａは、歯面に付着している歯垢の除去効果が高くなる点から、ストレート毛又はセミテーパー毛で形成されていることが好ましい。
【００１９】
用毛の材質としては、特に限定されず、歯ブラシの用毛に通常使用されるものが使用できる。例えば、６−１２ナイロン、６−１０ナイロン等のポリアミド、ＰＥＴ、ポリブチレンテレフタレート（ＰＢＴ）、ポリトリメチレンテレフタレート（ＰＴＴ）、ポリエチレンナフタレート（ＰＥＮ）、ポリブチレンナフタレート（ＰＢＮ）等のポリエステル、ＰＰ等のポリオレフィン、オレフィン系エラストマー、スチレン系エラストマー等の樹脂材料が挙げられる。これらの樹脂材料は、１種を単独で使用してもよく、２種以上を併用してもよい。
【００２０】
用毛の横断面形状は、円形が好ましい。なお、用毛の断面形状は円形には限定されず、例えば、楕円形、多角形（例えば、三角形、四角形、五角形、六角形等。）、異形（例えば、星形、三つ葉のクローバー形、四つ葉のクローバー形等。）等であってもよい。
第１の毛束１６ａを形成する用毛の数は、第１の毛束１６ａの直径を所望の値とするように適宜設定すればよい。
【００２１】
第１の毛束１６ａでは、使用感や、刷掃感、清掃効果、耐久性等考慮して、太さの異なる複数本の用毛を任意に組み合わせて用いてもよい。
第１の毛束１６ａを形成する用毛の数は、第１の毛束１６ａの直径を所望の値とするように適宜設定すればよい。
【００２２】
第１の毛束１６ａのコシは、第１の毛束群１６の幅方向の両側に配置される、第２の毛束群１８を形成する第２の毛束１８ａのコシよりも強いことが好ましい。すなわち、第１の毛束１６ａは、第１の毛束群１６の幅方向の両側に配置される第２の毛束１８ａよりも撓み難いことが好ましい。これにより、第１の毛束１６ａが支えとなって、第１の毛束１６ａの幅方向の両側に位置する第２の毛束１８ａが第１の毛束１６ａ側に倒れ込み難くなり、当該第２の毛束１８ａの毛先が歯周ポケットに入りやすくなる。
【００２３】
［第２の毛束群］
第２の毛束群１８は、ヘッド部１２の植毛面１２ａにおいて、第１の毛束群１６の周りを囲うように複数の第２の毛束１８ａが植設されることで形成されている。また、第２の毛束群１８は、第１の毛束群１６の幅方向の両側の部分で窄まった形状となっている。
第２の毛束群１８は、中央部分から先端部分に向かうにしたがって幅が大きくなっている。同様に、第２の毛束群１８は、中央部分から後端部分に向かうにしたがって幅が大きくなっている。
【００２４】
前記のように、第１の毛束群１６の幅方向の両側において第２の毛束群１８の形状が窄まっていることで、第２の毛束群１８の毛先が歯頸部にフィットする。また、第１の毛束群１６の幅方向の両側の第２の毛束１８ａと第１の毛束１６ａとは距離が近くなっている。そのため、毛先を歯に接触させた際、第１の毛束１６ａが支えとなることで、その両側の第２の毛束１８ａが第１の毛束１６ａ側に倒れ難く、毛先が幅方向の外側に倒れやすくなる。その結果、第１の毛束１６ａの幅方向の両側の第２の毛束１８ａの毛先が歯周ポケットに進入しやすくなり、歯周ポケットに存在する歯垢を効率良く掻き出して除去することが可能となる。
また、第１の毛束群１６の先端側と後端側に配置されている第２の毛束１８ａの毛先は、第１の毛束群１６を歯面に接触させた際に歯間に入り込みやすいため、歯間の歯垢をより効率良く除去することが可能となる。
【００２５】
具体的には、この例の第２の毛束群１８では、第１の毛束群１６の幅方向の両側のそれぞれにおいて、４本の第２の毛束１８ａが幅方向の外側に向かう方向を開放した円弧状で、第１の毛束群１６を囲うように配列されている。第１の毛束群１６の幅方向の両側で第２の毛束１８ａがこのように円弧状に配列されていることで、この部分の第２の毛束１８ａが歯頸部にフィットしやすくなり、歯頸部の歯垢の除去効率が高まる。
また、第１の毛束群１６を挟むように、ヘッド部１２の先端１３側と後端側のそれぞれにおいて、５本の第２の毛束１８ａが植毛面１２ａの中央方向を開放した円弧状で、第１の毛束群１６を囲うように配列されている。
【００２６】
このように、第１の毛束群１６の先端側、後端側、及び幅方向の両側に第２の毛束１８ａが配置されることで、第１の毛束群１６の周りが全て第１の毛束群１８で囲まれ、かつ第１の毛束群１６の幅方向の両側において第２の毛束群１８の形状が窄まるようになっている。
第２の毛束群１８は、それぞれの第２の毛束１８ａが植毛面１２ａの中心点に対して点対称に配置されていることが好ましい。
【００２７】
第２の毛束群１８における先端側で幅が最大となる位置と、後端側で幅が最大となる位置の距離Ｌ（図１）は、５〜１５ｍｍが好ましく、５〜１２ｍｍがより好ましい。前記距離Ｌが前記範囲内であれば、第１の毛束群１６を歯面に接触させた際に、第１の毛束群１６の幅方向の両側の第２の毛束１８ａの毛先が歯周ポケットに入り込みやすくなる。そのため、歯周ポケットの歯垢の除去効果がより高くなる。また、第２の毛束群１８における先端側と後端側の第２の毛束１８ａの毛先が歯間に入り込みやすくなり、歯間の歯垢除去効果も高くなる。
なお、前記距離Ｌは、第２の毛束群１８の先端側で幅が最大となる位置における幅方向の外側の第２の毛束１８ａと、後端側で幅が最大となる位置における幅方向の外側の第２の毛束１８ａの中心軸同士の長さ方向の距離とする。
【００２８】
第２の毛束１８ａの毛丈は、第１の毛束１６ａの毛丈と同等以上になっている。これにより、第１の毛束群１６を歯面に接触させている状態において、第２の毛束群１８の毛先が歯周ポケットに到達して挿入され、その部分に存在する歯垢を効率良く掻き出して除去することができる。
【００２９】
第２の毛束群１８を形成する第２の毛束１８ａの数は、特に限定されず、第２の毛束１８ａの直径等を考慮して適宜設定すればよい。
第２の毛束１８ａの合計数は、１５〜３０束が好ましい。
第１の毛束群１６の幅方向のそれぞれの側に配置される第２の毛束１８ａの数は、片側あたり４〜１０束が好ましい。
第１の毛束群１６の先端側と後端側のそれぞれの側に配置される第２の毛束１８ａの数は、片側あたり２〜１０束が好ましい。
【００３０】
第２の毛束１８ａは、複数の用毛が束ねられて形成されている。
第２の毛束１８ａを形成する用毛としては、特に限定されず、例えば、第１の毛束１６ａで挙げたものが挙げられる。
第２の毛束１８ａは、テーパー毛のみで形成されていてもよく、セミテーパー毛のみで形成されていてもよく、ストレート毛のみで形成されていてもよく、テーパー毛とセミテーパー毛、ストレート毛のうち２種以上を組み合わせて形成されていてもよい。第１の毛束群１６の幅方向の両側に配置される第２の毛束１８ａは、毛先が歯周ポケットに入りやすく、歯周ポケットの歯垢の除去効果が高くなる点から、テーパー毛で形成されていることが好ましい。
【００３１】
第２の毛束１８ａでは、使用感や、刷掃感、清掃効果、耐久性等考慮して、太さの異なる複数本の用毛を任意に組み合わせて用いてもよい。
第２の毛束１８ａを形成する用毛の数は、第２の毛束１８ａの直径を所望の値とするように適宜設定すればよい。
【００３２】
［第３の毛束群］
第３の毛束群２０は、ヘッド部１２の植毛面１２ａにおいて、第２の毛束群１８を挟んで、ヘッド部１２の先端１３側と後端側とに一対に設けられている。一対の第３の毛束群２０は、互いに離間している。植毛面１２ａにおける第２の毛束群１８よりも先端側に位置する第３の毛束群２０の幅は、第２の毛束群１８における先端側の最大幅よりも短くなっている。同様に、植毛面１２ａにおける第２の毛束群１８よりも後端側に位置する第３の毛束群２０の幅は、第２の毛束群１８における後端側の最大幅よりも短くなっている。
【００３３】
第３の毛束群２０は、複数の第３の毛束２０ａが植毛面１２ａの中央方向に開放して円弧状に植設されることで形成されている。この例では、それぞれの第３の毛束群２０において、植毛面１２ａの中央方向に向かって毛束数が増えるように、３本の第３の毛束２０ａと４本の第３の毛束２０ａが二重の円弧状に配列されている。
【００３４】
第３の毛束２０ａの毛丈は、特に限定されず、第１の毛束１６ａの毛丈と同等以上になっていることが好ましい。これにより、第１の毛束群１６を歯面に接触させている状態において、第３の毛束２０ａの毛先が歯間に挿入されやすくなり、歯間の歯垢を効率良く掻き出して除去しやすくなる。
【００３５】
第３の毛束群２０を形成する第３の毛束２０ａの数は、特に限定されず、第２の毛束１８ａの直径等を考慮して適宜設定すればよい。
第３の毛束２０ａの数は、片側あたり３〜１０束が好ましい。
【００３６】
第３の毛束２０ａは、複数の用毛が束ねられて形成されている。
第３の毛束２０ａを形成する用毛としては、特に限定されず、例えば、第１の毛束１６ａで挙げたものが挙げられる。
第３の毛束２０ａは、テーパー毛のみで形成されていてもよく、ストレート毛のみで形成されていてもよく、セミテーパー毛のみで形成されていてもよく、テーパー毛、セミテーパー毛、ストレート毛のうち２種以上を組み合わせて形成されていてもよい。第３の毛束２０ａは、毛先が歯間に入りやすく、歯間の歯垢の除去効果が高くなる点から、テーパー毛で形成されていることが好ましい。
【００３７】
第３の毛束２０ａを形成する用毛の横断面形状は、例えば、第１の毛束１６ａで挙げたものが挙げられ、円形が好ましい。
第３の毛束２０ａを形成する用毛の太さ（最大径）の好ましい範囲は、第２の毛束１８ａを形成する用毛の好ましい太さの好ましい範囲と同様である。
第３の毛束２０ａでは、使用感や、刷掃感、清掃効果、耐久性等考慮して、太さの異なる複数本の用毛を任意に組み合わせて用いてもよい。
第３の毛束２０ａを形成する用毛の数は、第３の毛束２０ａの直径を所望の値とするように適宜設定すればよい。
【００３８】
［毛束群の寸法］
第１の毛束１６ａの毛丈ｄ１（図２）は、適宜設定でき、７〜１１ｍｍが好ましく、８〜１０ｍｍがより好ましい。  第１の毛束１６ａの毛丈ｄ１が下限値未満になると、毛が撓まなさ過ぎる為、歯肉に当たった時に痛みを感じることがある。また、磨き心地が悪くなることがある。第１の毛束群１６の毛丈ｄ１が上限値を超えると、口腔内操作性が悪くなることがある。
この例では、第１の毛束１６ａの毛丈ｄ１は揃えられているが、第１の毛束１６ａの毛丈ｄ１は、本発明の効果を損なわない範囲であれば、揃えられていなくてもよい。
【００３９】
第２の毛束１８ａの毛丈ｄ２（図２）は、第１の毛束１６ａの毛丈ｄ１と同等以上である。
第１の毛束１６ａの毛丈ｄ１に対する第２の毛束１８ａの毛丈ｄ２の差（ｄ２−ｄ１）は、０．５〜３．０ｍｍが好ましく、０．５〜２．０ｍｍがより好ましい。前記差（ｄ２−ｄ１）下限値未満になると、第２の毛束が歯間や歯頸部に進入しにくくなるおそれがある。前記差（ｄ２−ｄ１）が上限値を超えると、第１の毛束が歯面に当たらなかったり、第２の毛束が歯肉に当たって痛みを感じることがある。
また、この例では、第２の毛束１８ａの毛丈ｄ２は揃えられているが、第２の毛束１８ａの毛丈ｄ２は、本発明の効果を損なわない範囲であれば、揃えられていなくてもよい。
【００４０】
第３の毛束２０ａの毛丈の好ましい態様は、第２の毛丈１８ａの毛丈の好ましい態様と同じである。
なお、この例では、第３の毛束２０ａの毛丈は揃えられているが、第３の毛束２０ａの毛丈は、本発明の効果を損なわない範囲であれば、揃えられていなくてもよい。
【００４１】
第１の毛束１６ａは、第２の毛束１８ａよりも太くなっている。これにより、第１の毛束１６ａがよりしっかりとした支えになることによって第２の毛束１８ａの毛先が外側に倒れやすくなり、歯間や歯周ポケットに入りやすくなる。その結果、第２の毛束１８ａの毛先によって歯間や歯周ポケットの歯垢を除去することが容易になる。
【００４２】
第１の毛束１６ａの太さφ１（図２）は、２〜３ｍｍが好ましく、２．２〜２．８ｍｍがより好ましい。第１の毛束１６ａの太さφ１が下限値未満になると、歯面の歯垢の除去効果が低下するおそれがある。第１の毛束１６ａの太さφ１が上限値を超えると、撓まなさ過ぎて使用感を損ねるおそれがある。
なお、毛束の太さとは、植毛面上での太さであり、毛束の断面形状が円形の場合はその直径を意味し、毛束の断面形状が矩形、三角形等の円形以外の形状の場合は、その外接円の直径を意味する。
【００４３】
第２の毛束１８ａの太さφ２（図２）は、１．０〜１．６ｍｍが好ましく、１．１〜１．３ｍｍがより好ましい。前記φ２が下限値未満になると、歯肉に痛みを感じることがある。第２の毛束１８ａの直径が上限値を超えると、撓まなさ過ぎて使用感を損ねるおそれがある。
【００４４】
第３の毛束２０ａの太さの好ましい態様は、第２の毛丈１８ａの太さの好ましい態様と同じである。
【００４５】
［製造方法］
歯ブラシ１の製造方法は、それぞれ所定の寸法の第１の毛束１６ａ、第２の毛束１８ａ及び第３の毛束２０ａを、所定の位置に植設して第１の毛束群１６、第２の毛束群１８及び第３の毛束群２０を形成する以外は、公知の方法を採用できる。
例えば、毛束の植設方法としては、平線を打ち込む方法、熱溶着する方法等公知の方法を採用できる。
毛束を植設する際の穴の直径は、植設する毛束の直径に応じて適宜設定すればよい。
【００４６】
以上説明した本発明の歯ブラシ１では、毛先が歯頸部にフィットする。また、第１の毛束群１６を歯面に接触させたときに、第１の毛束群１６が支えとなることで、第１の毛束群１６の幅方向の両側に位置する第２の毛束１８ａの毛先が効率良く歯周ポケットに入り込む。また、同様に第１の毛束群１６の先端側と後端側に位置する第２の毛束１８ａの毛先が歯周ポケットや歯間に効率良く入り込む。そのため、第１の毛束群１６によって歯面の歯垢を除去しつつ、第２の毛束群１８によって歯頸部や歯周ポケット等の歯垢も効率良く掻き出して除去することができる。
このように、歯ブラシ１は、歯面の歯垢に加えて、歯頸部、歯周ポケット等の歯垢も満遍なく除去でき、１本で歯の隅々まで効率良く清掃できる。
【００４７】
＜他の実施形態＞
なお、本発明の歯ブラシは、前記した歯ブラシ１には限定されない。
例えば、第１の毛束群を形成する複数の第１の毛束は、幅方向に相互にずれていてもよい。
また、第２の毛束群１８は、第１の毛束群１６の周りを囲み、かつ第１の毛束群１６の幅方向の両側で窄んだ形状となっていれば、前記した形状には限定されない。
例えば、第１の毛束群１６の幅方向の両側において、第２の毛束が直線状に配列されていてもよい。また、第１の毛束群１６の先端側と後端側において、第２の毛束１８ａが幅方向に直線状に配列されていてもよい。
【００４８】
また、第３の毛束群２０の形状は、前記した形状には限定されない。
例えば、第３の毛束群２０は、複数の第３の毛束２０ａが幅方向に直線状に配列されていてもよい。第２の毛束群１８の先端側と後端側において、長さ方向において第３の毛束２０ａが一重に配列されていてもよく、三重以上に配列されていてもよい。
また、第３の毛束群を有さない歯ブラシであってもよい。歯間の歯垢除去効果が高くなる点では、第３の毛束群が形成されていることが好ましい。
【００４９】
具体的には、例えば、本発明の歯ブラシは、図３に例示した歯ブラシ２であってもよい。図３における図１と同じ部分には同符号を付して説明を省略する。
歯ブラシ２は、第２の毛束群１８の先端部分と後端部分のそれぞれにおいて、第２の毛束１８ａが幅方向に波状に配列され、第３の毛束２０ａが植毛面１２ａの中央側から順に４本、３本、２本の順で幅方向に配列されている以外は、歯ブラシ１と同じである。
【００５０】
また、本発明の歯ブラシは、図４に例示した歯ブラシ３であってもよい。図４における図１と同じ部分には同符号を付して説明を省略する。
歯ブラシ３は、第１の毛束群１６の幅方向の両側のそれぞれにおいて、４本の第２の毛束１８ａが直線状に配列され、また第１の毛束群１６の先端側と後端側のそれぞれにおいて、第２の毛束１８ａが幅方向に直線状に配列され、さらに４本の第３の毛束２０ａが幅方向に直線状に配列されて第３の毛束群２０が形成されている以外は、歯ブラシ１と同じである。
【００５１】
また、本発明の歯ブラシは、図５に例示した歯ブラシ４であってもよい。図５における図１と同じ部分には同符号を付して説明を省略する。
歯ブラシ４は、第１の毛束群１６の先端側と後端側のそれぞれにおいて、植毛面１２ａの中央側から４本、６本の二重に第２の毛束１８ａが幅方向に直線状に配列され、さらに５本の第３の毛束２０ａが幅方向に直線状に配列されて第３の毛束群２０が形成されている以外は、歯ブラシ１と同じである。
【００５２】
これら歯ブラシ２〜４でも、第１の毛束群１６の周りが第２の毛束群１８で囲まれており、かつ第２の毛束群１８の形状が、第１の毛束群１６の幅方向の両側において窄まった形状となっているため、歯ブラシ１と同様に、歯面の歯垢に加えて、歯頸部、歯周ポケット等の歯垢も満遍なく除去できる。
【実施例】
【００５３】
以下、実施例によって本発明を詳細に説明するが、本発明は以下の記載によっては限定されない。
［清掃実感の評価］
１０人のモニターが各例の歯ブラシで口腔内を清掃し、その際の歯頸部、歯周ポケット及び歯面の清掃実感を下記の評価基準で評価した。
【００５４】
（歯頸部、歯周ポケット、歯面の清掃実感）
５点：汚れが落ちた感触を非常に感じる。
４点：汚れが落ちた感触を強く感じる。
３点：汚れが落ちた感触を感じる。
２点：汚れが落ちた感触をあまり感じない。
１点：汚れが落ちた感触を感じない。
モニター１０人の平均点が４．０以上を◎、平均点３．０以上４．０未満を○、平均点２．０以上３．０未満を△、平均点２．０未満を×とした。
【００５５】
（総合評価）
◎：全て○以上で、かつ◎が２つ以上。
○：○が一番低い評価で、かつ◎が１つ以下。
△：△が一番低い評価。
×：×が一つでもある。
【００５６】
［用毛］
本実施例に用いた用毛は以下のとおりである。
テーパー毛：ＰＢＴ製。
セミテーパー毛：ＰＢＴ製。
ストレート毛（毛先に丸め部）：ポリアミド製。
【００５７】
［実施例１、２］
表１に示す仕様に従い、ＰＰ製のハンドル体に毛束を植設して、図１及び図２の歯ブラシ１を得た。
【００５８】
［実施例３］
表１に示す仕様に従い、ＰＰ製のハンドル体に毛束を植設して、図３の歯ブラシ２を得た。
【００５９】
［実施例４］
表１に示す仕様に従い、ＰＰ製のハンドル体に毛束を植設して、図４の歯ブラシ３を得た。
【００６０】
［実施例５］
表１に示す仕様に従い、ＰＰ製のハンドル体に毛束を植設して、図５の歯ブラシ４を得た。
【００６１】
［比較例１、２］
表２に示す仕様に従い、ＰＰ製のハンドル体に毛束を植設して、図６の配列パターンの歯ブラシ１０１を得た。
歯ブラシ１０１では、毛束１１８ａが幅方向に５束、長さ方向に７束の５列×７行に植設され、さらにその先端側と後端側に４束の毛束１１８ａが幅方向に直線状に配列されている。
【００６２】
［比較例３］
表２に示す仕様に従い、ＰＰ製のハンドル体に毛束を植設して、図７の配列パターンの歯ブラシ１０２を得た。
歯ブラシ１０２では、４０束の毛束１１８ａが略瓢箪型に配列されている。
【００６３】
［比較例４］
表２に示す仕様に従い、ＰＰ製のハンドル体に毛束を植設して、図８の配列パターンの歯ブラシ１０３を得た。
歯ブラシ１０３の配列パターンは、第１の毛束群１６の幅方向の両側において、５束の第２の毛束１８ａが波状に配列されている以外は、実施例３の歯ブラシ２と同様である。
【００６４】
［比較例５］
表２に示す仕様に従い、ＰＰ製のハンドル体に毛束を植設して、図９の配列パターンの歯ブラシ１０４を得た。
歯ブラシ１０４の配列パターンは、第１の毛束群１６の幅方向の両側の第２の毛束１８ａの幅が広く、略矩形状の第２の毛束群１１８が形成されている以外は、実施例４の歯ブラシ３と同様である。
【００６５】
［比較例６］
表２に示す仕様に従い、ＰＰ製のハンドル体に毛束を植設して、図１の歯ブラシ１と同様の配列パターンの歯ブラシを得た。
比較例６では、第２の毛束群１８において、先端部分と後端部分（最大幅の部分）の第２の毛束１８ａの毛丈を９．０ｍｍとし、第１の毛束群１６の幅方向の両側の第２の毛束１８ａの毛丈を１１．０ｍｍとした。
各例の評価結果を表１及び表２に示す。
【００６６】
【表１】
2015036042.tif 000003
【００６７】
【表２】
2015036042.tif 000004
【００６８】
表１に示すように、本発明の配列パターンで、第１の毛束が第２の毛束よりも太く、第２の毛束の毛丈が第１の毛束の毛丈と同等以上である実施例１〜５では、歯頸部、歯周ポケット及び歯面の汚れが良好に除去でき、歯の隅々まで効率良く清掃できた。
【００６９】
一方、第１の毛束群を有さない比較例１〜３では、歯頸部や歯周ポケットの歯垢除去が不充分となった。また、比較例２及び３では、歯面の歯垢除去も不充分であった。
第１の毛束の毛丈が第２の毛束の毛丈よりも高い比較例４では、歯頸部や歯周ポケットの歯垢除去が不充分となった。
第２の毛束群が第１の毛束群の幅方向の両側で窄んだ形状となっていない比較例５では、歯頸部や歯周ポケットの歯垢除去が不充分となった。
第３の毛束群および第２の毛束群の先端部分と後端部分の毛丈が第１の毛束の毛丈よりも低い比較例６では、歯面の歯垢除去が不充分となった。
【符号の説明】
【００７０】
１〜４  歯ブラシ
１０  ハンドル部
１２  ヘッド部
１３  先端
１４  ハンドル体
１６  第１の毛束群
１６ａ  第１の毛束
１８  第２の毛束群
１８ａ  第２の毛束
２０  第３の毛束群
２０ａ  第３の毛束
【図１】
2015036042.tif 000005
【図２】
2015036042.tif 000006
【図３】
2015036042.tif 000007
【図４】
2015036042.tif 000008
【図５】
2015036042.tif 000009
【図６】
2015036042.tif 000010
【図７】
2015036042.tif 000011
【図８】
2015036042.tif 000012
【図９】
2015036042.tif 000013